【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
アクセスポイントによる、低減されたオーバーヘッドのページングのための方法であって、
圧縮されたトラフィック指示マップ（ＴＩＭ）要素を生成することと、ここにおいて、前記圧縮されたＴＩＭ要素は、符号化ブロック情報についての少なくとも１つの符号化モードを識別する符号化ブロック情報フィールドを含む少なくとも１つの符号化ブロックフィールドから構築された部分的仮想ビットマップフィールドを備える、
前記圧縮されたＴＩＭ要素を、少なくとも１つのマルチ基本サービスセット識別子（ＢＳＳＩＤ）をサポートする前記アクセスポイントに関連付けられた少なくとも１つの局（ＳＴＡ）に送ることと、
を備える方法。
【請求項２】
前記命令は、前記少なくとも１つのＳＴＡが前記アクセスポイントに関連付けられているかどうか決定することを行うようにさらに実行可能である、請求項１に記載のアクセスポイント。
【請求項３】
オフセット、長さ、ビットマップ（ＯＬＢ）モードを備える前記少なくとも１つの符号化モードに応答して、前記符号化ブロック情報フィールドを、連続サブブロックサブフィールドが後に続く長さサブフィールドを含むように符号化することをさらに備え、各サブブロックサブフィールドは、部分的仮想マップの対応するサブブロックを含む、請求項１に記載の方法。
【請求項４】
前記ＯＬＢモードは、前記ＴＩＭ要素をさらに圧縮するために、少なくとも１つの他の符号化モードと一緒に使われる、請求項３に記載の方法。
【請求項５】
ｎに等しい前記長さサブフィールドは、前記符号化ブロック情報フィールドが、ｎ個の連続サブブロックを、ブロックオフセット位置にある第１のサブブロックから始まるマルチプルなブロックから昇順で含むことを示し、
前記符号化ブロック情報フィールドのサブブロックｍは、ブロックｋ中に位置し、ここでｋは、ブロックオフセット＋ｍ／８として取得される、請求項３に記載の方法。
【請求項６】
ブロックｋ中に位置する前記サブブロックｍの位置ｑにあるビットは、関連付け識別子がＮである前記ＳＴＡ用にバッファリングされたトラフィックがあることを示し、
Ｎは、ページインデックスフィールド（Ｎ［１２：１１］）と、ｋ（Ｎ［１０：６］）と、ｍｏｄ（ｍ，８）（Ｎ［５：３］）と、ｑ（Ｎ［２：０］）とを、最下位ビットから最上位ビットまで順に連結することによって構築される、請求項５に記載の方法。
【請求項７】
ブロックｋ中に位置する前記サブブロックｍの位置ｑにあるビットは、関連付け識別子がＮである前記ＳＴＡ用にバッファリングされたトラフィックがあることを示し、
Ｎは、ページインデックスフィールド（Ｎ［１２：１１］）と、ｋ（Ｎ［１０：６］）と、ｍｏｄ（ｍ，８）（Ｎ［５：３］）と、ｑ（Ｎ［２：０］）とを、最上位ビットから最下位ビットまで順に連結することによって構築される、請求項５に記載の方法。
【請求項８】
前記ＴＩＭ要素は、配信トラフィック情報マップ（ＤＴＩＭ）カウントフィールドと、ＤＴＩＭ期間フィールドと、ビットマップ制御フィールドとをさらに備え、
前記ＤＴＩＭカウントフィールドは、現在のフレームを含む何個のビーコンフレームが、次のＤＴＩＭの前に現れるかを示し、
前記ＤＴＩＭ期間フィールドは、連続するＤＴＩＭの間のビーコンインターバルの数を示し、
前記ビットマップ制御フィールドは、関連付け識別子ゼロ（０）に関連付けられた、グループアドレス指定トラフィックインジケータビットを含む、請求項１に記載の方法。
【請求項９】
前記少なくとも１つの符号化ブロックフィールドは、前記少なくとも１つの符号化ブロックフィールド中で符号化されるブロックのインデックスを示すブロックオフセットフィールドを備える、請求項１に記載の方法。
【請求項１０】
低減されたオーバーヘッドのページングのための、少なくとも１つのマルチ基本サービスセット識別子（ＢＳＳＩＤ）をサポートする局によって動作可能な方法であって、
前記ページングをアクセスポイント（ＡＰ）から受信することと、ここにおいて、前記ページングは、圧縮されたトラフィック指示マップ（ＴＩＭ）要素を備える、
前記圧縮されたＴＩＭ要素から、符号化ブロック情報についての少なくとも１つの符号化モードに関する符号化ブロック情報フィールドを含む少なくとも１つの符号化ブロックフィールドから構築された部分的仮想ビットマップフィールドを決定することと、
を備える方法。
【請求項１１】
オフセット、長さ、ビットマップ（ＯＬＢ）モードを備える前記少なくとも１つの符号化モードに応答して、前記符号化ブロック情報フィールドを、連続サブブロックサブフィールドが後に続く長さサブフィールドを生成するように復号することをさらに備え、各サブブロックサブフィールドは、部分的仮想マップの対応するサブブロックを含む、請求項１０に記載の方法。
【請求項１２】
ワイヤレス通信のために構成されたアクセスポイントであって、
圧縮されたトラフィック指示マップ（ＴＩＭ）要素を生成するための手段と、ここにおいて、前記圧縮されたＴＩＭ要素は、符号化ブロック情報についての少なくとも１つの符号化モードを識別する符号化ブロック情報フィールドを含む少なくとも１つの符号化ブロックフィールドから構築された部分的仮想ビットマップフィールドを備える、
前記圧縮されたＴＩＭ要素を、少なくとも１つのマルチ基本サービスセット識別子（ＢＳＳＩＤ）をサポートする前記アクセスポイントに関連付けられた少なくとも１つの局（ＳＴＡ）に送るための手段と、
を備えるアクセスポイント。
【請求項１３】
少なくとも１つのマルチ基本サービスセット識別子（ＢＳＳＩＤ）をサポートする、ワイヤレス通信のために構成された局であって、
前記ページングをアクセスポイント（ＡＰ）から受信するための手段と、ここにおいて、前記ページングは、圧縮されたトラフィック指示マップ（ＴＩＭ）要素を備える、
前記圧縮されたＴＩＭ要素から、符号化ブロック情報についての少なくとも１つの符号化モードに関する符号化ブロック情報フィールドを含む少なくとも１つの符号化ブロックフィールドから構築された部分的仮想ビットマップフィールドを決定するための手段と、
を備える局。
【請求項１４】
低減されたオーバーヘッドのページングのためのコンピュータプログラムであって、前記コンピュータプログラム製品は、命令を有する非一時的コンピュータ可読媒体を備え、前記命令は、
アクセスポイント（ＡＰ）に、圧縮されたトラフィック指示マップ（ＴＩＭ）要素を生成させるためのコードと、ここにおいて、前記圧縮されたＴＩＭ要素は、符号化ブロック情報についての少なくとも１つの符号化モードを識別する符号化ブロック情報フィールドを含む少なくとも１つの符号化ブロックフィールドから構築された部分的仮想ビットマップフィールドを備える、
前記ＡＰに、前記圧縮されたＴＩＭ要素を、少なくとも１つのマルチ基本サービスセット識別子（ＢＳＳＩＤ）をサポートする前記アクセスポイントに関連付けられた少なくとも１つの局（ＳＴＡ）に送らせるためのコードと、
を備える、コンピュータプログラム。
【請求項１５】
低減されたオーバーヘッドのページングのためのコンピュータプログラムであって、前記コンピュータプログラム製品は、命令を有する非一時的コンピュータ可読媒体を備え、前記命令は、
少なくとも１つのマルチ基本サービスセット識別子（ＢＳＳＩＤ）をサポートする局に、ページングをアクセスポイント（ＡＰ）から受信させるためのコードと、ここにおいて、前記ページングは、圧縮されたトラフィック指示マップ（ＴＩＭ）要素を備える、
前記局に、前記圧縮されたＴＩＭ要素から、符号化ブロック情報についての少なくとも１つの符号化モードに関する符号化ブロック情報フィールドを含む少なくとも１つの符号化ブロックフィールドから構築された部分的仮想ビットマップフィールドを構築させるためのコードと、
を備える、コンピュータプログラム。
【手続補正２】
【補正対象書類名】明細書
【補正対象項目名】０２７３
【補正方法】変更
【補正の内容】
【０２７３】
[00303]特許請求の範囲は、上記に示した厳密な構成および構成要素に限定されないことを理解されたい。特許請求の範囲から逸脱することなく、本明細書で説明したシステム、方法、および装置の構成、動作および詳細において、様々な修正、変更および変形が行われ得る。
以下に本願の出願当初の特許請求の範囲に記載された発明を付記する。
[Ｃ１]  低減されたオーバーヘッドのページングのためのアクセスポイントであって、
プロセッサと、
前記プロセッサと電子通信しているメモリコンポーネントと、
前記メモリに記憶された命令とを備え、前記命令は、前記プロセッサによって、
圧縮されたトラフィック指示マップ（ＴＩＭ）要素を生成することと、ここにおいて、前記圧縮されたＴＩＭ要素は、符号化ブロック情報についての少なくとも１つの符号化モードを識別する符号化ブロック情報フィールドを含む少なくとも１つの符号化ブロックフィールドから構築された部分的仮想ビットマップフィールドを備える、
前記圧縮されたＴＩＭ要素を、少なくとも１つのマルチ基本サービスセット識別子（ＢＳＳＩＤ）をサポートする前記アクセスポイントに関連付けられた少なくとも１つの局（ＳＴＡ）に送ることと、
を行うように実行可能である、アクセスポイント。
[Ｃ２]  前記命令は、前記少なくとも１つのＳＴＡが前記アクセスポイントに関連付けられているかどうか決定することを行うようにさらに実行可能である、Ｃ１に記載のアクセスポイント。
[Ｃ３]  前記命令は、オフセット、長さ、ビットマップ（ＯＬＢ）モードを備える前記少なくとも１つの符号化モードに応答して、前記符号化ブロック情報フィールドを、複数の連続サブブロックサブフィールドが後に続く長さサブフィールドを含むように符号化することを行うようにさらに実行可能であり、各サブブロックサブフィールドは、部分的仮想マップの対応するサブブロックを含む、Ｃ１に記載のアクセスポイント。
[Ｃ４]  前記ＯＬＢモードは、前記ＴＩＭ要素をさらに圧縮するために、少なくとも１つの他の符号化モードと一緒に使われる、Ｃ３に記載のアクセスポイント。
[Ｃ５]  ｎに等しい前記長さサブフィールドは、前記符号化ブロック情報フィールドが、ｎ個の連続サブブロックを、ブロックオフセット位置にある第１のサブブロックから始まるマルチプルなブロックから昇順で含むことを示し、
前記符号化ブロック情報フィールドのサブブロックｍは、ブロックｋ中に位置し、ここでｋは、ブロックオフセット＋ｍ／８として取得される、Ｃ３に記載のアクセスポイント。
[Ｃ６]  ブロックｋ中に位置する前記サブブロックｍの位置ｑにあるビットは、関連付け識別子（ＡＩＤ）がＮである前記ＳＴＡ用にバッファリングされたトラフィックがあることを示し、
Ｎは、ページインデックスフィールド（Ｎ［１２：１１］）と、ｋ（Ｎ［１０：６］）と、ｍｏｄ（ｍ，８）（Ｎ［５：３］）と、ｑ（Ｎ［２：０］）とを、最下位ビットから最上位ビットまで順に連結することによって構築される、Ｃ４に記載のアクセスポイント。
[Ｃ７]  ブロックｋ中に位置する前記サブブロックｍの位置ｑにあるビットは、関連付け識別子（ＡＩＤ）がＮである前記ＳＴＡ用にバッファリングされたトラフィックがあることを示し、
Ｎは、ページインデックスフィールド（Ｎ［１２：１１］）と、ｋ（Ｎ［１０：６］）と、ｍｏｄ（ｍ，８）（Ｎ［５：３］）と、ｑ（Ｎ［２：０］）とを、最上位ビットから最下位ビットまで順に連結することによって構築される、Ｃ４に記載のアクセスポイント。
[Ｃ８]  前記ＴＩＭ要素は、配信トラフィック情報マップ（ＤＴＩＭ）カウントフィールドと、ＤＴＩＭ期間フィールドと、ビットマップ制御フィールドとをさらに備え、
前記ＤＴＩＭカウントフィールドは、現在のフレームを含む何個のビーコンフレームが、次のＤＴＩＭの前に現れるかを示し、
前記ＤＴＩＭ期間フィールドは、連続するＤＴＩＭの間のビーコンインターバルの数を示し、
前記ビットマップ制御フィールドは、関連付け識別子ゼロ（０）に関連付けられた、グループアドレス指定トラフィックインジケータビットを含む、Ｃ１に記載のアクセスポイント。
[Ｃ９]  前記少なくとも１つの符号化ブロックフィールドは、前記少なくとも１つの符号化ブロックフィールド中で符号化されるブロックのインデックスを示すブロックオフセットフィールドを備える、Ｃ１に記載のアクセスポイント。
[Ｃ１０]  低減されたオーバーヘッドのページングのための局であって、
プロセッサと、
前記プロセッサと電子通信しているメモリと、
前記メモリ中に記憶された命令とを備え、前記命令は、
前記ページングをアクセスポイント（ＡＰ）から受信することと、ここにおいて、前記ページングは、圧縮されたトラフィック指示マップ（ＴＩＭ）要素を備える、
前記圧縮されたＴＩＭ要素から、符号化ブロック情報についての少なくとも１つの符号化モードに関する符号化ブロック情報フィールドを含む少なくとも１つの符号化ブロックフィールドから構築された部分的仮想ビットマップフィールドを決定することと、
を行うように実行可能である、局。
[Ｃ１１]  前記命令は、オフセット、長さ、ビットマップ（ＯＬＢ）モードを備える前記少なくとも１つの符号化モードに応答して、前記符号化ブロック情報フィールドを、連続サブブロックサブフィールドが後に続く長さサブフィールドを生成するように復号するようにさらに実行可能であり、各サブブロックサブフィールドは、部分的仮想マップの対応するサブブロックを含む、Ｃ１０に記載の局。
[Ｃ１２]  前記ＯＬＢモードは、前記ＴＩＭ要素をさらに圧縮するために、少なくとも１つの他の符号化モードと一緒に使われる、Ｃ１１に記載の局。
[Ｃ１３]  ｎに等しい前記長さサブフィールドは、前記符号化ブロック情報フィールドが、ｎ個の連続サブブロックを、ブロックオフセット位置にある第１のサブブロックから始まるマルチプルなブロックから昇順で含むことを示し、
前記符号化ブロック情報フィールドのサブブロックｍは、ブロックｋ中に位置し、ここでｋは、ブロックオフセット＋ｍ／８として取得される、Ｃ１１に記載の局。
[Ｃ１４]  ブロックｋ中に位置する前記サブブロックｍの位置ｑにあるビットは、関連付け識別子がＮである前記ＳＴＡ用にバッファリングされたトラフィックがあることを示し、
Ｎは、ページインデックスフィールド（Ｎ［１２：１１］）と、ｋ（Ｎ［１０：６］）と、ｍｏｄ（ｍ，８）（Ｎ［５：３］）と、ｑ（Ｎ［２：０］）とを、最下位ビットから最上位ビットまで順に連結することによって構築される、Ｃ１３に記載の局。
[Ｃ１５]  ブロックｋ中に位置する前記サブブロックｍの位置ｑにあるビットは、関連付け識別子がＮである前記ＳＴＡ用にバッファリングされたトラフィックがあることを示し、
Ｎは、ページインデックスフィールド（Ｎ［１２：１１］）と、ｋ（Ｎ［１０：６］）と、ｍｏｄ（ｍ，８）（Ｎ［５：３］）と、ｑ（Ｎ［２：０］）とを、最上位ビットから最下位ビットまで順に連結することによって構築される、Ｃ１３に記載の局。
[Ｃ１６]  前記ＴＩＭ要素は、配信トラフィック情報マップ（ＤＴＩＭ）カウントフィールドと、ＤＴＩＭ期間フィールドと、ビットマップ制御フィールドとをさらに備え、
前記ＤＴＩＭカウントフィールドは、現在のフレームを含む何個のビーコンフレームが、次のＤＴＩＭの前に現れるかを示し、
前記ＤＴＩＭ期間フィールドは、連続するＤＴＩＭの間のビーコンインターバルの数を示し、
前記ビットマップ制御フィールドは、関連付け識別子ゼロ（０）に関連付けられた、グループアドレス指定トラフィックインジケータビットを含む、Ｃ１０に記載の局。
[Ｃ１７]  前記少なくとも１つの符号化ブロックフィールドは、前記少なくとも１つの符号化ブロックフィールド中で符号化されるブロックのインデックスを示すブロックオフセットフィールドを備える、Ｃ１０に記載の局。
[Ｃ１８]  アクセスポイントによる、低減されたオーバーヘッドのページングのための方法であって、
圧縮されたトラフィック指示マップ（ＴＩＭ）要素を生成することと、ここにおいて、前記圧縮されたＴＩＭ要素は、符号化ブロック情報についての少なくとも１つの符号化モードを識別する符号化ブロック情報フィールドを含む少なくとも１つの符号化ブロックフィールドから構築された部分的仮想ビットマップフィールドを備える、
前記圧縮されたＴＩＭ要素を、少なくとも１つのマルチ基本サービスセット識別子（ＢＳＳＩＤ）をサポートする前記アクセスポイントに関連付けられた少なくとも１つの局（ＳＴＡ）に送ることと、
を備える方法。
[Ｃ１９]  オフセット、長さ、ビットマップ（ＯＬＢ）モードを備える前記少なくとも１つの符号化モードに応答して、前記符号化ブロック情報フィールドを、連続サブブロックサブフィールドが後に続く長さサブフィールドを含むように符号化することをさらに備え、各サブブロックサブフィールドは、部分的仮想マップの対応するサブブロックを含む、Ｃ１８に記載の方法。
[Ｃ２０]  前記ＯＬＢモードは、前記ＴＩＭ要素をさらに圧縮するために、少なくとも１つの他の符号化モードと一緒に使われる、Ｃ１９に記載の方法。
[Ｃ２１]  ｎに等しい前記長さサブフィールドは、前記符号化ブロック情報フィールドが、ｎ個の連続サブブロックを、ブロックオフセット位置にある第１のサブブロックから始まるマルチプルなブロックから昇順で含むことを示し、
前記符号化ブロック情報フィールドのサブブロックｍは、ブロックｋ中に位置し、ここでｋは、ブロックオフセット＋ｍ／８として取得される、Ｃ１９に記載の方法。
[Ｃ２２]  ブロックｋ中に位置する前記サブブロックｍの位置ｑにあるビットは、関連付け識別子がＮである前記ＳＴＡ用にバッファリングされたトラフィックがあることを示し、
Ｎは、ページインデックスフィールド（Ｎ［１２：１１］）と、ｋ（Ｎ［１０：６］）と、ｍｏｄ（ｍ，８）（Ｎ［５：３］）と、ｑ（Ｎ［２：０］）とを、最下位ビットから最上位ビットまで順に連結することによって構築される、Ｃ２１に記載の方法。
[Ｃ２３]  ブロックｋ中に位置する前記サブブロックｍの位置ｑにあるビットは、関連付け識別子がＮである前記ＳＴＡ用にバッファリングされたトラフィックがあることを示し、
Ｎは、ページインデックスフィールド（Ｎ［１２：１１］）と、ｋ（Ｎ［１０：６］）と、ｍｏｄ（ｍ，８）（Ｎ［５：３］）と、ｑ（Ｎ［２：０］）とを、最上位ビットから最下位ビットまで順に連結することによって構築される、Ｃ２１に記載の方法。
[Ｃ２４]  低減されたオーバーヘッドのページングのための、局によって動作可能な方法であって、
前記ページングをアクセスポイント（ＡＰ）から受信することと、ここにおいて、前記ページングは、圧縮されたトラフィック指示マップ（ＴＩＭ）要素を備える、
前記圧縮されたＴＩＭ要素から、符号化ブロック情報についての少なくとも１つの符号化モードに関する符号化ブロック情報フィールドを含む少なくとも１つの符号化ブロックフィールドから構築された部分的仮想ビットマップフィールドを決定することとを備える方法。
[Ｃ２５]  オフセット、長さ、ビットマップ（ＯＬＢ）モードを備える前記少なくとも１つの符号化モードに応答して、前記符号化ブロック情報フィールドを、連続サブブロックサブフィールドが後に続く長さサブフィールドを生成するように復号することをさらに備え、各サブブロックサブフィールドは、部分的仮想マップの対応するサブブロックを含む、Ｃ２４に記載の方法。
[Ｃ２６]  前記ＯＬＢモードは、前記ＴＩＭ要素をさらに圧縮するために、少なくとも１つの他の符号化モードと一緒に使われる、Ｃ２５に記載の方法。
[Ｃ２７]  ｎに等しい前記長さサブフィールドは、前記符号化ブロック情報フィールドが、ｎ個の連続サブブロックを、ブロックオフセット位置にある第１のサブブロックから始まるマルチプルなブロックから昇順で含むことを示し、
前記符号化ブロック情報フィールドのサブブロックｍは、ブロックｋ中に位置し、ここでｋは、ブロックオフセット＋ｍ／８として取得される、Ｃ２５に記載の方法。
[Ｃ２８]  ブロックｋ中に位置する前記サブブロックｍの位置ｑにあるビットは、関連付け識別子がＮである前記ＳＴＡ用にバッファリングされたトラフィックがあることを示し、
Ｎは、ページインデックスフィールド（Ｎ［１２：１１］）と、ｋ（Ｎ［１０：６］）と、ｍｏｄ（ｍ，８）（Ｎ［５：３］）と、ｑ（Ｎ［２：０］）とを、最下位ビットから最上位ビットまで順に連結することによって構築される、Ｃ２７に記載の方法。
[Ｃ２９]  ブロックｋ中に位置する前記サブブロックｍの位置ｑにあるビットは、関連付け識別子がＮである前記ＳＴＡ用にバッファリングされたトラフィックがあることを示し、
Ｎは、ページインデックスフィールド（Ｎ［１２：１１］）と、ｋ（Ｎ［１０：６］）と、ｍｏｄ（ｍ，８）（Ｎ［５：３］）と、ｑ（Ｎ［２：０］）とを、最上位ビットから最下位ビットまで順に連結することによって構築される、Ｃ２７に記載の方法。
[Ｃ３０]  ワイヤレス通信のために構成された装置であって、
圧縮されたトラフィック指示マップ（ＴＩＭ）要素を生成するための手段と、ここにおいて、前記圧縮されたＴＩＭ要素は、符号化ブロック情報についての少なくとも１つの符号化モードを識別する符号化ブロック情報フィールドを含む少なくとも１つの符号化ブロックフィールドから構築された部分的仮想ビットマップフィールドを備える、
前記圧縮されたＴＩＭ要素を、少なくとも１つのマルチ基本サービスセット識別子（ＢＳＳＩＤ）をサポートするアクセスポイントに関連付けられた少なくとも１つの局（ＳＴＡ）に送るための手段と、
を備える装置。
[Ｃ３１]  オフセット、長さ、ビットマップ（ＯＬＢ）モードを備える前記少なくとも１つの符号化モードに応答して、前記符号化ブロック情報フィールドを、連続サブブロックサブフィールドが後に続く長さサブフィールドを含むように符号化するための手段をさらに備え、各サブブロックサブフィールドは、部分的仮想マップの対応するサブブロックを含む、Ｃ３０に記載の装置。
[Ｃ３２]  前記ＯＬＢモードは、前記ＴＩＭ要素をさらに圧縮するために、少なくとも１つの他の符号化モードと一緒に使われる、Ｃ３１に記載の装置。
[Ｃ３３]  ワイヤレス通信のために構成された装置であって、
ページングをアクセスポイント（ＡＰ）から受信するための手段と、ここにおいて、前記ページングは、圧縮されたトラフィック指示マップ（ＴＩＭ）要素を備える、
前記圧縮されたＴＩＭ要素から、符号化ブロック情報についての少なくとも１つの符号化モードに関する符号化ブロック情報フィールドを含む少なくとも１つの符号化ブロックフィールドから構築された部分的仮想ビットマップフィールドを決定するための手段と、
を備える装置。
[Ｃ３４]  オフセット、長さ、ビットマップ（ＯＬＢ）モードを備える前記少なくとも１つの符号化モードに応答して、前記符号化ブロック情報フィールドを、連続サブブロックサブフィールドが後に続く長さサブフィールドを生成するように復号するための手段をさらに備え、各サブブロックサブフィールドは、部分的仮想マップの対応するサブブロックを含む、Ｃ３３に記載の装置。
[Ｃ３５]  前記ＯＬＢモードは、前記ＴＩＭ要素をさらに圧縮するために、少なくとも１つの他の符号化モードと一緒に使われる、Ｃ３４に記載の装置。
[Ｃ３６]  低減されたオーバーヘッドのページングのためのコンピュータプログラム製品であって、前記コンピュータプログラム製品は、命令を有する非一時的コンピュータ可読媒体を備え、前記命令は、
アクセスポイント（ＡＰ）に、圧縮されたトラフィック指示マップ（ＴＩＭ）要素を生成させるためのコードと、ここにおいて、前記圧縮されたＴＩＭ要素は、符号化ブロック情報についての少なくとも１つの符号化モードを識別する符号化ブロック情報フィールドを含む少なくとも１つの符号化ブロックフィールドから構築された部分的仮想ビットマップフィールドを備える、
前記ＡＰに、前記圧縮されたＴＩＭ要素を、少なくとも１つのマルチ基本サービスセット識別子（ＢＳＳＩＤ）をサポートする前記アクセスポイントに関連付けられた少なくとも１つの局（ＳＴＡ）に送らせるためのコードと、
を備える、コンピュータプログラム製品。
[Ｃ３７]  オフセット、長さ、ビットマップ（ＯＬＢ）モードを備える前記少なくとも１つの符号化モードに応答して、前記ＡＰに、前記符号化ブロック情報フィールドを、連続サブブロックサブフィールドが後に続く長さサブフィールドを含むように符号化させるためのコードをさらに備え、各サブブロックサブフィールドは、部分的仮想マップの対応するサブブロックを含む、Ｃ３６に記載のコンピュータプログラム製品。
[Ｃ３８]  前記ＯＬＢモードは、前記ＴＩＭ要素をさらに圧縮するために、少なくとも１つの他の符号化モードと一緒に使われる、Ｃ３７に記載のコンピュータプログラム製品。
[Ｃ３９]  低減されたオーバーヘッドのページングのためのコンピュータプログラム製品であって、前記コンピュータプログラム製品は、命令を有する非一時的コンピュータ可読媒体を備え、前記命令は、
局に、ページングをアクセスポイント（ＡＰ）から受信させるためのコードと、ここにおいて、前記ページングは、圧縮されたトラフィック指示マップ（ＴＩＭ）要素を備える、
前記局に、前記圧縮されたＴＩＭ要素から、符号化ブロック情報についての少なくとも１つの符号化モードに関する符号化ブロック情報フィールドを含む少なくとも１つの符号化ブロックフィールドから構築された部分的仮想ビットマップフィールドを構築させるためのコードとを備える、コンピュータプログラム製品。
[Ｃ４０]  オフセット、長さ、ビットマップ（ＯＬＢ）モードを備える前記少なくとも１つの符号化モードに応答して、前記局に、前記符号化ブロック情報フィールドを、連続サブブロックサブフィールドが後に続く長さサブフィールドを生成するように復号させるためのコードをさらに備え、各サブブロックサブフィールドは、部分的仮想マップの対応するサブブロックを含む、Ｃ３９に記載のコンピュータプログラム製品。
[Ｃ４１]  前記ＯＬＢモードは、前記ＴＩＭ要素をさらに圧縮するために、少なくとも１つの他の符号化モードと一緒に使われる、Ｃ４０に記載のコンピュータプログラム製品。